(57)【要約】【課題】　種々の寸法のシートを折り畳む。【解決手段】　製品の折りたたみ用折りたたみ機械をセットアップするためのデータを自動的に発生する方法で、該方法はたたみ順序を指示する第１データの発生と、前記製品の寸法を指示する第２データの発生とを具備する。【選択図】　図１
2004067391.tif 000002
【特許請求の範囲】
【請求項１】
　製品の折りたたみ用の折りたたみ機械（２０）をセットアップするためのデータを自動的に発生する方法に於いて、該方法が、
　折りたたみ順序を指示する第１データを発生する過程と、
　前記製品の寸法を指示する第２データを発生する過程とを具備することを特徴とする方法。
【請求項２】
　請求項１の方法の該過程を実行するための手段を具備することを特徴とするデータ処理システム。
【請求項３】
　コンピユータプログラムであるが、前記プログラムがコンピユータ上でランする時請求項１の方法を行うよう適合されたコンピユータプログラムコード手段を具備することを特徴とする該コンピユータプログラム。
【請求項４】
　コンピユータ上でランする時請求項１の方法を実行するよう適合されたプログラムコードを具備することを特徴とするコンピユータ読み出し可能な媒体。
【発明の詳細な説明】
【技術分野】
【０００１】
　本発明は、折りたたみ機械（folding machine）による、折りたたみ（folding）のポストプレス過程（post-press process）の分野に関し、特に折りたたみ機械のセットアップ（setting up）に関する。
【背景技術】
【０００２】
　本又はリーフレット（leaflet）の様な製品（product）を製造するためには、印刷（printing）、折りたたみ、そしてことによると裁断（cutting）そして製本（binding）の、幾つかの過程が行われる。通常幾つかの頁が同じシート（sheet）上に印刷される。折りたたみ後これらの頁は、勿論、最終製品の正しい順序で相互に連続せねばならず、これは組み付け過程（imposition process）の仕事に依る。該組み付け過程はプリプレスの仕事流れ（workflow）システムの部分である。
【０００３】
　組み付けは、そのシート上の他の頁に対する各頁の適切なシーケンス又は位置が達成される様な仕方で、同じシート上に印刷されるページを配置するプリプレス過程である（特許文献１参照）。組み付けプラン（imposition plan）は、ことによると関連寸法（relevant dimensions）を含めて、それに依り個別頁（individual pages）がシート上に配列されるレイアウトを表し、該関連寸法とは、すなわち、該シートの寸法、該個別頁の寸法そして該シート上の境界の、そして個別頁間の、スペースの寸法である。
【０００４】
　プリプレス過程である組み付けに相対して、折りたたみはポストプレス過程である。折りたたみは習慣的に折りたたみ機械により行われる（例えば、特許文献２参照）。この様な折りたたみ機械の操作者（operator）が得る取扱説明書（instructions）は非常に貧弱なことが多い。最悪の場合、操作者は全く取扱説明書を得ず、組み付けプランのみを得て、該組み付けプランからそのシートが如何に折りたたまれねばならないかを推定（deduce）せねばならない。該操作者は次いで該組み付けプランを観察し、この様な組み付けプラン、又は同様なものが如何に普通折りたたまれるかの職業的知識を使用する。次いで彼は１枚のシートを手で折りたたみ、各頁の得られる順序を検証することにより彼の仮説を検証する。もし該折りたたまれた結果が正しければ、彼はそれに従って該折りたたみ機械をセットアップする。より良い場合には、該シートの折りたたみには折りたたみ機械をセットアップするための取扱説明書が同伴する。しかしながら、該セットアップ動作は必ずしも明らかでなく、それは同じ折りたたみ結果が時々は該折りたたみ機械の完全に異なる設定によっても得られるからである。この様な場合、操作者は通常彼にとって最も容易な設定を優先するが、これらは必ずしも最適な設定ではない。
【０００５】
　かくして折りたたみ機械をセットアップする改良されて方法のニーヅがある。
【特許文献１】米国特許出願公開第６０４６８１８号明細書
【特許文献２】米国特許出願公開第６２５１０５５号明細書
【特許文献３】欧州特許出願公開第０２１０２０９２．０号明細書
【発明の開示】
【０００６】
　本発明は独立請求項１で請求される様に折りたたみ機械をセットアップするためのデータを自動的に発生する方法である。本発明の好ましい実施例は従属請求項で表明される。好ましくは、本発明の方法が請求項３で請求されるコンピユータプログラムで実施されるのがよい。
【０００７】
　本発明の方法では、折りたたみ機械をセットアップするためのデータが自動的に発生される。好ましくは、該データは折りたたみ順序（folding order）を指示する第１データと折りたたまれるべき製品の寸法（dimension of the product）を指示する第２データとを含むのがよい。
【０００８】
　本明細書（document）では、”製品（product）”は本、リーフレット、又は製造するために印刷過程と折りたたみ過程を要するどんな他の対象をも意味する。例えば、本のセクション（section）｛折丁（signature）と呼ばれる｝も又製品である。
【０００９】
　該製品は１枚以上の”シート（sheet）”上に印刷される。本明細書では、”シート”は又”印刷基盤（printing substrate）”と称される。該印刷基盤はペーパー、ボール紙（cardboard）、プラスチック、ステッカー材料（sticker material）、他製であってもよい。用語”シート”は枚葉印刷機械（sheet-fed printing presses）用に使用されるカットシート（cut sheet）及び巻き取り印刷機械（web printing presses）用に使用されるロール上の連続印刷基盤（continuous printing substrate on roll）を含む。
【００１０】
　シートも又製品である。
【００１１】
　折りたたみ順序を指示する、少なくとも第１データ、は機械から独立したフオーマット（machine-independent format）を有するのが好ましい。これらの第１データは本明細書では”折りたたみ式（folding formula）”と呼ばれるものとして表される。”折りたたみ式”は、達成されるべき結果、例えば、”そのシートの３分の１を上へ折りたたむ（fold one third of the sheet upwards）”、を単に示す記述（description）であり；それは特定の折りたたみ機械がこの結果を如何に得るかは指示しない。折りたたみ式はかくして機械から独立している（machine independent）。折りたたみ式は如何にシートが折りたたまれねばならぬかを独自に説明する。下記で更に論じられる様に、折りたたみ式から、対応する組み付けプラン（imposition plan）が簡単なアルゴリズムにより推定され得る。折りたたみ式は折りたたみ機械の自動セットアップ用に使用され得る｛該折りたたみ機械が自動セットアップの可能性を提供する、すなわちその設定（setting）が自動的に、例えば、該折りたたみ機械に接続されたコンピユータ上でランするコンピユータプログラムにより、調整され得ると仮定する場合｝。
【００１２】
　本発明の好ましい実施例では、該折りたたみ順序を指示し、そして該折りたたみ機械をセットアップするため使用される、少なくとも該第１データは製造されるべき製品用の最適組み付けプランに基づいている。該最適組み付けプランが如何に計算されるかは開示されている（特許文献３参照）。
【００１３】
　本発明の方法の利点は、折りたたみ機械の全ての可能性が使用されることである。
【００１４】
　もう１つの利点は、該折りたたみ機械をセットアップするためのデータは自動的に発生されることであり、これは時間を節約し、信頼性を高める。
【００１５】
　なおもう１つの利点は、該折りたたみ機械の該セットアップは製造されるべき製品の最適組み付けプランに対応することである。
【００１６】
　本発明は、カットシート用折りたたみ機械（folding machine）に、そしてロール上の、巻き取り印刷基盤用折りたたみ機（folder）に、適用されてもよい。
【００１７】
　本発明の更に進んだ利点と実施例は下記説明と図面から明らかになる。
【実施例１】
【００１８】
　折りたたみ機械は平らな印刷されたシートを、折丁（signatures）とも呼ばれる、セクション（sections）に折りたたむ。図１は３つの連続するステージ（stages）２１，２２及び２３を有する折りたたみ機械２０の線図を示す。シート１４は最初第１折りたたみステージ２１で折りたたみ線２６に沿い折りたたまれ｛図１、ステージ２１では、鎖線で描かれた、５つの折りたたみ線２６の１つのみが基準サイン（reference sign）により示される｝、シート１４のコーナー１３は基準コーナー１３として作用するのであり、すなわち該シート１４は、折りたたみステージ２１の停止部（stops）に対する、コーナー１３に隣接したその縁の１つ又は両者を伴って、供給される。次いで、第２折りたたみステージ２２で、該既に折りたたまれたシート１４は更に折りたたみ線２６に直角の折りたたみ線２７に沿い折りたたまれる（図１、ステージ２２では、鎖線で描かれた、該２つの折りたたみ線２７の１つのみが基準サインにより示される）。最後に、該シート１４は、折りたたみ線２７に直角の折りたたみ線２６に沿って、第３折りたたみステージ２３で折りたたまれる。得られた、折りたたまれたシート１４はセクション（section）と呼ばれる。
【００１９】
　各折りたたみステージ用に、ナイフ折りたたみ機（knife folder）又はバックル折りたたみ機（buckle folder）｛プレート折りたたみ機（plate folder）とも呼ばれる｝が使用されてもよい。
【００２０】
　ナイフ折りたたみ機では、鈍い刃先の付いたナイフ（blunt-edged knife）が２つのローラーにより形成されたスロットと平行にそして該スロットの上に設定される。該ローラーは連続的に回転するので、シートがそれらの上に置かれ該ナイフが降りると、該シートは該ローラー間につかまり、担い去られり、該ナイフが接する所で折りたたみが行われる。実際には該シートは、手で又は機械的フイーダーにより、１度に１枚ずつ停止部まで供給され、それらが折りたたみ用に精密に機械的に位置付けられる該ナイフの下で移動テープ（moving tape）により担われる。該ナイフが降りると、今や一旦折りたたまれた該シートはローラーとテープとにより第２ユニットのナイフとローラーまで運ばれるがそこで第２折りたたみが行われ、次いで第３折りたたみ等々が行われ、（今やセクションである）該折りたたまれたシートはスタッカー（stacker）へ供給される。
【００２１】
　図２Ａと２Ｂは、バックルプレート折りたたみ機（buckle-plate folder）３０とも呼ばれる、バックル折りたたみ機３０を示す。この様な折りたたみ機３０は異なる原理で作動する。図２Ａにより図解される様に、シート１４は、１対の連続回転するローラー３４と３５の間にあるその前縁（leading edge）１６を伴って、供給される。該前縁１６は２枚の狭く隔てられたプレート３１｛バックルプレート（buckle plates）３１とも呼ばれる｝の対の間に導かれ、該プレート３１の面は該供給面に対し４５°の角度にある。該プレート３１は内部調整停止部（internal adjustable stops）を装着されており、該停止部は図２Ａでシート１４の長さの３分の１に設定される。シート１４の前縁１６がこれらの停止部を打つと、更に進む運動は妨げられる。しかしながら、シート１４の後の部分はなおローラー３４、３５により前へ推進され、そして４５°の角度で既に曲げられているので、シート１４はプレート３１への入り口の点で座屈する（buckles）。該座屈部（buckle）は該ローラー対３４，３５の下部ローラー３５と、該座屈部と接触する第３のローラー３６との間に把持され、そして該座屈部はこれらのローラー３５，３６の間を通り、かくして折りたたみを形成する。該折りたたまれた縁は第２の対のプレート３２内へそらされる。この第２の対のプレート３２の停止部が打たれると、図２Ｂに示す様に、第２の座屈部が形成される。今やジグザグ形（zig-zag form）を有する、該折りたたまれたシート１４はローラー３６，３７そして次いでローラー３７，３８により推進され、該バックル折りたたみ機３０を離れる。図２Ｂで、第３の対のプレート３３はバイパスされ、かくして使用外にある。最終の折りたたみは図２Ｄで示される１つのジグザグ折りたたみであり、該第１の対のバックルプレート３１で作られた該折りたたみは図２Ｃで示される。図２Ａ−２Ｂの該バックル折りたたみ機３０は上部の２対のバックルプレート３１，３３と下部の１対のバックルプレート３２とを有する。現在の折りたたみ機械は上部の４対と下部の４対のバックルプレートで構成される第１折りたたみステージを有することが多い。該利用可能な対のバックルプレートは使われるよう設定されてもよく、バイパスされてもよく、種々の折りたたみへ導く。使用中の各対のバックルプレートは第１のものに平行な追加の折りたたみを作る。
【００２２】
　本発明の好ましい実施例では、該折りたたみの順序とそれらの位置は、該折りたたみが行われる該折りたたみ機械から独立の仕方で、いわゆる”折りたたみ式（folding formulae）”により表される。”折りたたみ式”は達成されるべき結果、例えば”そのシートの３分の１を上方へ折りたたむ”を単純に指示する記述（description）であり；それは特定の折りたたみ機械が如何にこの結果を得るかは指示しない。折りたたみ式はかくして機械から独立（machine-independent）している。
【００２３】
　折りたたみ式の好ましい表現は、図２Ｃで示され、図２Ａの第１の対のバックルプレート３１により行われる折りたたみ用には下記の様であり：
　Ｌ３Ｕ１　　　　　　　　　　　　　（１）
ここでシート１４の３分の１が上方に折りたたまれる。式（１）で、”Ｌ３”はシート１４の長さが３つの等しい部分に分けられることを意味し、一方”Ｕ１”はこれらの部分の１つ、すなわちシート１４の３分の１、が上方に折りたたまれることを意味する（図２Ｃで示す様に）。シート１４のどの部分が上方に折りたたまれるかは、該折りたたみ操作がそれに関して行われる基準コーナー（reference corner）１３を選ぶことにより規定される。本明細書では、未折りたたみの或いは折りたたまれるシート１４の実際の左下コーナー（actual lower left corner）が常に該基準コーナー１３として取られる（これは単に選定の問題で、どんなコーナーが該基準として取られてもよい）。図２Ａ−２Ｄでは、基準サイン１７はシート１４の元の基準コーナーを示すが、それは実際の基準コーナー１３と異なってもよい。図２Ｃに示す様に、該Ｌ３Ｕ１折りたたみ後、該元の基準コーナー１７は該折りたたまれたシート１４の中間に配置され、一方該折りたたまれたシート１４の新しい、実際の、左下コーナー１３が、新しい、実際の基準コーナー１３として取られる。
【００２４】
　次ぎに、シート１４の３分の１が基準コーナー１３に対し、下方へ折りたたまれる。該２つの続いた折りたたみの結果が図２Ｄで示され、下記で指示されてもよいが、
　Ｌ３Ｕ１Ｄ１　　　　　　　　　　　　（２）
それは該シートの最初の３分の１が上方に折りたたまれ、”Ｕ１”、次いで該シートの３分の１（すなわち、元のシート長さの３分の１）が下方へ折りたたまれる、すなわち式（２）の”Ｄ１”、を意味する。
【００２５】
　図２Ａ−２Ｂで示される該バックルプレート折りたたみ機３０は上部対と下部対のバックルプレートを有し；図２Ａ−２Ｄにより検証され得る様に、上部対のバックルプレート３１，３３は上方への折りたたみ、”Ｕ”を発生し、一方下部対のバックルプレート３２は下方への折りたたみ、”Ｄ”を発生する。
【００２６】
　折りたたみ式は単に達成されるべき結果を指示するのみであるから、バックル折りたたみ機、ナイフ折りたたみ機又はどんな種類の折りたたみ機に依っても行われる、どんな折りたたみ又は折りたたみの連続（succession of folds）も、折りたたみ式により記述（described）され得る。例えば、シート又はセクションがナイフ折りたたみ機により半分にされる折りたたみステージは下記により指示され得る：
　Ｌ２Ｕ１　　　　　　　　　　　　（３）
　折りたたみ式はシートが如何に折りたたまれるべきかを明確に記述し、かくして従来技術のギャップを充たす。更に、折りたたみ式は機械から独立しており、折りたたみ機械をセットアップするため直接使用出来る。
【００２７】
　対応する組み付けプランは、下記で論じる様に、簡単なアルゴリズムにより該折りたたみ式から推定出来る。全ての折りたたみ式について、対応する組み付けプランがあり；折りたたみ式はかくして組み付けプランの表現でもある。
【００２８】
　図４に示す組み付けプラン（imposition plan）に於いて、個別の頁Ｐ２１，Ｐ２０，．．．Ｐ１４は、印刷、折りたたみ及び裁断の後、該頁が、本の様な、最終製品で正しい順序で相互に追随する様な仕方で配置される。図４はいわゆる”組み付け頁（imposition pages）”１５を示し、これらは最終製品の最終頁とは異なる。事実、折りたたみ、収集し（collect）／集め（gather）、製本（bind）しそして最終過程で正しい寸法に該製品を裁断（cut）するために該最終頁の周りに特別のスペース（extra space）が追加されねばならない。図３は最終頁（final page）１８と組み付け頁（imposition page）１５の間の関係を図解し：組み付け頁１５を得るために最終頁１８の周りに、頭部トリム（head trim）４，脚部トリム（foot trim）５，そしてスペース（spaces）６，７が追加される。本、新聞他の様な、製品用には、２頁ユニット（units of two pages）１８が組み付けプラン１０内で繰り返される。スペース６，７は次いで、スパイン（それは該本又は新聞のスパイン、２つの最終頁間に、配置されるスペースである）、２頁ユニットの右及び／又は左頁に追加される前面トリム（front face trim）、前部リップ（front lip）、後面トリム（back face trip）、後部リップ（back lip）、と呼ばれるスペースから計算されるが、しかしながら、これはそれが本発明を理解するのに必要でないので詳細には論じない。図３を読みやすく（readable）保つために、唯２つの最終頁１８が図で示されており、実際は各組み付け頁１５は最終頁１８を含む。
【００２９】
　今度は図４に戻ると、示された組み付けプラン１０は３×４の組み付け頁１５を含み、３つの組み付け頁１５は軸線１１により指示される、シート１４の長さ方向Ｌに相互の隣りに配置される、一方４つの組み付け頁１５は、軸線１２で指示される、シート１４の幅方向Ｗに相互の隣りにある。軸線１１と１２はシート１４の基準コーナー１３で交叉する。該１２個の組み付け頁１５の４個だけは、該図面を読みやすく保つために、基準サインにより指示されている。典型的には、該組み付けプラン内の全ての折りたたみはシート１４の寸法の良く規定された分数に配置され：図４では、該折りたたみ線は長さＬ方向には１／３と２／３に配置されそして幅Ｗ方向に１／４、１／２と３／４に配置される。該折りたたみの配置はかくして該分数の分母（nominator）と該シートの長さ及び幅を与えることにより指示され得る。該折りたたみの位置、折りたたみ方向そして折りたたみ順序を含む、図４の組み付けプラン１０に対応する折りたたみ操作は下記により指示され得て
　Ｌ３Ｕ１Ｕ１　Ｗ４Ｕ２Ｕ１　　　　　　　　（４）
それは下記を意味する。
【００３０】
　Ｌ３：組み付けプラン１０の長さ方向Ｌには３つの組み付け頁１５がある；
　Ｕ１：１つの部分（one part）を上方へ折りたたむが；１つの”部分（part）”は長さ方向Ｌでの１つの頁、すなわち一緒に取られる頁Ｐ１６，Ｐ９，Ｐ４そしてＰ２１、を表す。折りたたみ後、該折りたたまれたシート又はパッケージは寸法４×２を有する。新基準コーナーは今度は該パッケージの左下コーナー、すなわち頁Ｐ１７の左下コーナーである；
　Ｕ１：再び１つの部分を該長さ方向で上方へ折りたたみ；新基準コーナーはそこまでで得られたパッケージの左下コーナー、すなわち頁Ｐ１４の左下コーナーである。該パッケージの寸法は今や４×１である；
　Ｗ４：該組み付けプラン１０の幅Ｗ方向には４つの組み付け頁１５がある。今からは、”Ｌ”が再び現れないならば、全ての折りたたみはＷ方向に適用される；
　Ｕ２：幅方向で２つの部分を上方へ折りたたむ。新基準コーナーはそこまでで得られたパッケージの左下コーナー、すなわち頁Ｐ２の左下コーナーである。該パッケージの寸法は今や２×１である；
　Ｕ１：幅方向で１つの部分を上方に折りたたむ。新基準コーナーはそこまでで得られたパッケージの左下コーナー、すなわち頁Ｐ２３の左下コーナーである。該パッケージの寸法は１×１である。
【００３１】
　折りたたまれたパッケージの頁は”Ｐ１”から”Ｐ２４”まで手で番号付け出来る（折りたたまれたパッケージの個別頁の表側（front sides）と裏側（back sides）の双方が番号付けされ、かくして２×３×４＝２４頁ある）。好ましい実施例では、該頁は、その次々の過程が上記で与えられた折りたたみ過程をシミュレートする簡単なコンピユータプログラムにより番号付けされる。手によるか又はコンピユータシミュレーションによるか何れかで、該パッケージの折りたたみを解く（Unfolding）ことは図４に示す該組み付けプラン１０を返し、そこでは該頁番号は”Ｐ２１”、”Ｐ２０”、他で指示される。（注意：シート１４の裏側の頁番号は図４に示されてない）。
【実施例２】
【００３２】
　図５Ａおよび５Ｂには他の組み付けプランが示されている。図５Ａの組み付けプランに対応する折りたたみ操作は下記で指示することが出来るが、
　Ｌ４Ｕ２Ｕ１　　　　　　　　　　　　　　（５）
一方図５Ｂの組み付けプランに対応する組み付けプランは下記で指示される：
　Ｌ６Ｕ２Ｄ２　Ｗ４Ｕ１Ｄ１Ｕ１　ＬＤ１　　　　（６）
式（６）では、”ＬＤ１”が指示される。代わりに、”Ｌ２Ｄ１”も又指示され得たが、しかしながら、Ｌ方向の寸法は”Ｌ６Ｕ２Ｄ２”から推定出来て、かくして再び与えられる必要はない。
【００３３】
　上記で表明したことから、該折りたたみ順序を指示する第１のデータが１つ以上の折りたたみ式により機械から独立した仕方で表されることは明らかである。本発明の方法では、好ましくは、折りたたまれるべき製品の寸法を指示する第２データも又発生されるのがよい。これらの第２データの例は：（ａ）シート１４の長さ（例えば、１２９９ｍｍ）と幅（例えば、４５９ｍｍ）；又は（ｂ）該組み付け頁１５の位置に対する折りたたみ線２６，２７の位置に関する寸法情報と共に組み付け頁１５の長さと幅；又は（ｃ）１つ以上の折りたたみ線２６，２７の位置である。例（ａ）と（ｂ）では、該折りたたみ線２６，２７の位置は該折りたたみ式と該第２データから決定されてもよいが、例（ｃ）では、１つ以上の折りたたみ線２６，２７の位置が直接与えられる。
【００３４】
　上記の様に、該第１データは好ましくは機械から独立しているのがよい。又第２データも又機械から独立しているのが好ましい。有利なことは、機械から独立した第１及び第２データは次いで、そのセットアップ用に、該折りたたみ機械へ送られてもよい機械依存の第３データ（machine-dependent third data）に変換される。代わりに、該機械から独立したデータは該折りたたみ機械に送られ、該機械依存のデータへの変換が該折りたたみ機械自身で行われる。
【００３５】
　本発明の方法の利点は該折りたたみ機械の全ての可能性が使用されることである。これは該第１データが発生される仕方（例えば、該折りたたみ式）から生じるものであり；より詳細には我々は本出願と同日に出願され、上記で既に述べた特許文献３を参照する。特許文献３から、本発明により折りたたみ機械をセットアップするためのデータを自動的に発生する方法が、予め規定されたテンプレート（templates）、又は予め規定されたデータに基づかず、該折りたたみ機械をセットアップするためのデータを計算するために該製品の仕様データ（specification data of the product）と該折りたたみ機械の折りたたみ機械データとを使用することも又明らかである。かくして、非標準印刷仕事（non-standard printing jobs）用にも、該折りたたみ機械の容易なそして最適なセットアップが可能となる。
【００３６】
　本発明の方法では、折りたたみ機械２０をセットアップするためにデータが発生される。この”折りたたみ機械”は真の、実在する機械か又は、実在しないが、例えば、多数の実在する折りたたみ機械に典型的な特性を有する実在しない”仮想の（virtual）”機械か何れかであってもよい。
【００３７】
　本発明はカットシート用折りたたみ機械と、ロール上の、巻き取り印刷基盤用折りたたみ機（folders for web printing substrate, on roll）と、に適用されてもよい。該後者の適用についてのより詳細事項については、我々は上記の特許文献３を参照する。
【００３８】
　本発明は、
−製品を折りたたむため折りたたみ機械２０をセットアップするためのデータを自動的に発生する方法であり、該方法が折りたたみ順序を指示する第１データを発生する過程と、前記製品の寸法を指示する第２データを発生する過程とを具備する該方法、
−前記第１及び前記第２データが折りたたみ線２６，２７の位置を指定する該方法、
−更に、最適な組み付けプラン１０を計算する過程と；前記最適組み付けプラン１０に基づき前記第１データを発生する過程とを具備する該方法、
−更に、機械から独立したフオーマットで前記第１データを発生する過程を具備する該方法、
−更に、折りたたみ式として前記第１データを表す過程を具備する該方法、
−更に、前記機械から独立したフオーマットでの前記第１データと前記第２データとを機械依存のフオーマットの第３データに変換する過程を具備する該方法、
−更に、前記第３データを前記折りたたみ機械２０へ送る過程を具備する該方法、
−前記折りたたみ機械２０がカットシート用折りたたみ機械２０とウエブ印刷基盤用折りたたみ機２０とのグループから選択される該方法、
−上記開示の方法の過程を実行する手段を具備するデータ処理システム
−コンピユータプログラムであるが、前記プログラムがコンピユータ上でランする時上記開示の方法を行うよう適合されたコンピユータプログラムコード手段を具備するコンピユータプログラム、
−コンピユータ上でランする時上記開示の方法を実行するよう適合されたプログラムコードを具備するコンピユータ読み出し可能な媒体（computor readable medium）、を開示する。
【００３９】
　当業者は上記開示した実施例に多くの変型と変更が本発明の範囲から離れることなく行われ得ることを評価するであろう。
【図面の簡単な説明】
【００４０】
【図１】折りたたみ機械を示す。
【図２Ａ】バックル折りたたみ機とその中のシートの折りたたみを示す。
【図２Ｂ】バックル折りたたみ機とその中のシートの折りたたみを示す。
【図２Ｃ】バックル折りたたみ機とその中のシートの折りたたみを示す。
【図２Ｄ】バックル折りたたみ機とその中のシートの折りたたみを示す。
【図３】組み付け頁と最終頁との間の関係を示す。
【図４】組み付けプランを示す。
【図５Ａ】組み付けプランを示す。
【図５Ｂ】組み付けプランを示す。
【符号の説明】
【００４１】
　　　　　４　頭部トリム
　　　　　５　脚部トリム
　　　　　６　スペース
　　　　　７　スペース
　　　　　１０　組み付けプラン
　　　　　１１　軸線
　　　　　１２　軸線
　　　　　１３　実際の基準コーナー
　　　　　１４　シート
　　　　　１５　組み付け頁
　　　　　１６　縁
　　　　　１７　元の基準コーナー
　　　　　１８　最終頁
　　　　　２０　折りたたみ機械
　　　　　２１　ステージ
　　　　　２２　ステージ
　　　　　２３　ステージ
　　　　　２６　折りたたみ線
　　　　　２７　折りたたみ線
　　　　　３０　バックル折りたたみ機
　　　　　３１　バックルプレート
　　　　　３２　バックルプレート
　　　　　３３　バックルプレート
　　　　　３４　ローラー
　　　　　３５　ローラー
　　　　　３６　ローラー
　　　　　３７　ローラー
　　　　　３８　ローラー
【図１】
2004067391.tif 000003
【図２Ａ】
2004067391.tif 000004
【図２Ｂ】
2004067391.tif 000005
【図２Ｃ】
2004067391.tif 000006
【図２Ｄ】
2004067391.tif 000007
【図３】
2004067391.tif 000008
【図４】
2004067391.tif 000009
【図５Ａ】
2004067391.tif 000010
【図５Ｂ】
2004067391.tif 000011